(57)【要約】      （修正有）【課題】スーツ・ケースなど携帯用品の盗難防止用にも利用可能な、簡易、安価で、動作も確実で、取扱も容易な警報発生器を提供する。【解決手段】複数個のセット／リセット用スイッチ(S1,S2) と、このセット／リセット用スイッチが適宜な順序で複数回操作されることにより、待機状態へのセット可能状態に移行されたのち、暗所に放置されることによって待機状態にセットされる警報発生回路(AL)と、光センサが一定量の光を受光すると、待機状態にセットされた警報発生回路(AL)を警報駆動状態に移行させ、警報を発生させる手段(AL,PS) と、複数個のセット／リセット用スイッチが、警報発生回路(AL)を待機状態にセットした時と同一の順序で操作された場合には、警報発生回路(AL)を待機状態へのセット可能状態または警報駆動状態から初期状態にリセットするリセット手段(S1,S2,AL)と、上記各部に動作電力を供給する給電回路(BT)とを備えている。【選択図】図１
2008225597.tif 000002
【特許請求の範囲】
【請求項１】
複数個のセット／リセット用スイッチと、
このセット／リセット用スイッチが適宜な順序で複数回操作されることにより、待機状態へのセット可能状態に移行されたのち、暗所に放置されることによって待機状態にセットされる警報発生回路と、
光センサが一定量の光を受光すると、前記待機状態にセットされた前記警報発生回路を警報駆動状態に移行させ、警報を発生させる手段と、
前記複数個のセット／リセット用スイッチが、前記警報発生回路を前記待機状態にセットした時と同一の順序で操作された場合には、前記警報発生回路を前記待機状態へのセット可能状態または前記警報駆動状態から初期状態にリセットするリセット手段と、
上記各部に動作電力を供給する給電回路と
を備えたことを特徴とする警報発生器。
【請求項２】
請求項１または２のいずれかにおいて、
前記リセット手段は、前記警報発生回路が前記警報駆動状態に移行されてから所定時間経過した場合には、この警報発生回路が待機状態へのセット可能状態に移行された時と同一の順序で前記セット／リセット用スイッチが操作されても、この警報発生回路を前記警報駆動状態に保持し続けることを特徴とする警報発生器。
【請求項３】
請求項１または２のいずれかにおいて、
前記リセット手段は、前記複数個のセット／リセット用スイッチが、同時に所定時間にわたって操作され続けた場合には、前記駆動状態に移行した前記警報発生回路を、初期状態にリセットすることを特徴とする警報発生器。
【請求項４】
請求項１乃至３のいずれかにおいて、
携帯可能なケースの内部に収納され、前記給電回路が電池で構成されたことを特徴とする警報発生器。
【請求項５】
請求項１乃至４のいずれかにおいて、
前記複数個のセット／リセット用スイッチは前記ケースの外部に突出された２個の押しボタンスイッチから成り、これら２個の押しボタンスイッチの３回の操作により、前記警報回路が前記待機状態へのセット可能状態に移行されることを特徴とする警報発生器。
【請求項６】
請求項５において、
前記２個の押しボタンスイッチには、異なる着色が施されたことを特徴とする警報発生器。
【請求項７】
請求項１乃至６のいずれかにおいて
前記ケースの外部に突出され、前記警報発生回路が前記待機状態へのセット可能状態に移行したことを点灯によって表示する発光ダイオードを備えたことを特徴とする警報発生器。
【請求項８】
請求項７において、
前記発光ダイオードは、前記押しボタンスイッチに対応して２個設置され、各押しボタンスイッチの操作時に点滅する発光ダイオードを兼ねたことを特徴とする警報発生器。
【請求項９】
セット／リセット用スイッチと、
このセット／リセット用スイッチが適宜な回操作されることにより待機状態へのセット可能状態に移行されたのち、暗所に放置されることにより待機状態にセットされる警報発生回路と、
一定量の光を受光すると、前記待機状態にセットされた前記警報発生回路を警報駆動状態に移行させ、警報を発生させるる光センサと、
前記セット／リセット用スイッチが、前記警報発生回路を前記待機状態へのセット可能状態に移行させた時と同一回数だけ所定時間以内に操作されたのち、所定時間以上にわたって新たな操作が行われない場合にのみ、前記警報発生回路を前記待機状態または前記警報駆動状態から初期状態にリセットするリセット手段と、
上記各部に動作電力を供給する給電回路と
を備えたことを特徴とする警報発生器。
【発明の詳細な説明】
【技術分野】
【０００１】
本発明は、盗難や侵入防止用などの警報発生器に関するものであり、特に、スーツケースなどの携帯品の盗難防止用に適した警報発生器に関するものである。
【背景技術】
【０００２】
従来、盗難や侵入防止用などの警報発生器は、室内の壁などに固定的に設置され、侵入者が、発光器と受光器との間に形成された光ビームを横切ることによって受光状態が一時的に中断されたことを検知すると、ブザーなどから警報音を発生させていた。
【発明の開示】
【発明が解決しようとする課題】
【０００３】
上記従来の警報発生器は、室内の壁などに固定的に設置される構成である。このため、スーツ・ケースなど携帯用品の盗難防止用としては、利用できないという問題がある。最近、海外旅行の訪問国も世界中に拡大しており、これに伴い、治安の悪い国において、日本人観光客のスーツ・ケースなどの手荷物を持ち去られるという置き引きの被害が深刻になってきている。パスポートが盗難にあうと、海外での再発行に時間がかかるため、団体旅行の同行者全員が足止めされてしまうなど、金銭的な損失だけに留まらない大きな損害を被る。      
【０００４】
従って、本発明の目的は、スーツ・ケースなど携帯用品の盗難防止用にも利用可能な、簡易、安価で、動作も確実で、取扱も容易な警報発生器を提供することにある。
【課題を解決するための手段】
【０００５】
上記従来技術の課題を解決する本発明の警報発生器は、複数のセット／リセット用スイ  複数個のセット／リセット用スイッチと、このセット／リセット用スイッチが適宜な順序で複数回操作されることにより待機状態へのセット可能な状態に移行したのち、暗所に放置されることによって、待機状態にセットされる警報発生回路と、光センサが一定量の光を受光すると、前記待機状態にセットされた前記警報発生回路を警報駆動状態に移行させ、警報を発生させる手段と、前記複数個のセット／リセット用スイッチが、前記警報発生回路を前記待機状態へのセット可能状態に移行させたと同一の順序で操作された場合には、前記警報発生回路を前記待機状態または前記警報駆動状態から初期状態にリセットするリセット手段と、上記各部に動作電力を供給する給電回路とを備えている。
【発明の効果】
【０００６】
本発明の警報発生器の利用者は、複数のセット／リセット用スイッチの操作によって警報発生回路を待機状態へのセット可能状態に移行させたのちで、これをスーツ・ケースなどの携帯用品の内部の衣服などの上に上向きの状態で置き、最後に蓋を閉める。これによって警報発生器の警報発生回路が待機状態にセットされる。窃盗犯がこのスーツ・ケースを、持ち去って蓋を開けると、それまで暗かったスーツ・ケースの内部に外部の光が差し込む。この警報発生器の光センサが、この外部から差し込む光を検知し、待機状態にセットされている警報発生回路を警報駆動状態に移行させる。この警報駆動状態に移行した警報発生回路は、ブザー音などの警報を発生させる。
【０００７】
この警報音を停止させるには、警報回路を待機状態へのセット可能状態に移行させた時と同じ順序で、複数のセット／リセット用スイッチを操作しなければならない。しかしながら、窃盗犯はそのような概略の事情も知らないので、セット／リセット用スイッチを操作することにより警報を停止させることができない。例え、概略の事情を知っていたとしても、複数のセット／リセット用スイッチの操作順序には、多数の組合せがあるので、短時間のうちに正しい操作を行うことができない。例えば、スイッチが２個で、操作の回数を３回とすれば、組合せは８通り存在する。
【０００８】
その結果、窃盗犯は、警報を素早く解除できない。そうこうするうちに、警報音を聞きつけた周囲の人が不審に思って集まってくる。犯行の発覚を恐れる窃盗犯は、盗んだスーツ・ケースをその場に放置して、ほうほうの体で逃げ去る。このようにして、盗まれそうになったスーツ・ケースが、持主の手元に戻されることになる。
【発明を実施するための最良の形態】
【０００９】
本発明の一つの好適な実施の形態によれば、リセット手段は、警報発生回路が駆動状態に移行されてから所定時間経過した場合には、この警報発生回路が待機状態へのセット可能状態に移行された時と同一の順序で前記セット／リセット用スイッチが操作されても、この警報発生回路を前記駆動状態に保持し続けることにより、警報の解除を一層困難にするように構成されている。
【００１０】
本発明の他の好適な実施の形態によれば、リセット手段は、複数個のセット／リセット用スイッチが、同時に所定時間にわたって操作され続けた場合には、警報駆動状態を解除して初期状態にすることにより、解除方法を忘れてしまった利用者の便宜を図るように構成されている。
【００１１】
本発明の他の好適な実施の形態によれば、複数個のセット／リセット用スイッチがケースの外部に突出され、異なる着色が施された２個の押しボタンスイッチから成り、これら２個の押しボタンスイッチの３回の操作により、警報回路が待機状態へのセット可能状態に移行されることにより、スイッチ操作の容易化と、スイッチ操作の組合せの多様化が図られている。
【００１２】
本発明の更に他の好適な実施の形態によれば、警報発生回路が待機状態にセットされたことを点灯によって表示する発光ダイオードを備えることにより、動作の信頼性を向上できるように構成されている。
【実施例】
【００１３】
図１は、本発明の警報発生器の一実施例の回路図であり、図２はその正面図である。この実施例の警報発生器は、図１に示すように、マイクロプロセッサＰとブザーＢＺとから成る警報発生回路ＡＬと、２個のセット／リセット用スイッチＳＷ１，ＳＷ２と、光センサＰＳと、２個の状態表示用発光ダイオードＬ１，Ｌ２と、これら各回路や部品に動作電力を供給する電池ＢＴとを備えている。各回路や部品は、図２の正面図に示すように、携帯可能なケースＣの内部に収容されている。
【００１４】
ケースＣは、携帯に便利なように、手のひらサイズほどの、小型の、プラスチック製の四角い箱から成っている。２個のセット／リセット用スイッチＳＷ１，ＳＷ２は、円筒または円盤形状の押しボタンスイッチから成り、それぞれの頭部を、ケースＣの正面パネルから外部に突出させるように正面パネルに配置されている。スイッチＳＷ１とＳＷ２の頭部には、利用者がそれぞれを確実に区別できるように、それぞれ、赤と緑の異なる着色が施されている。
【００１５】
スイッチＳＷ１，ＳＷ２の上方には、左右方向の同一位置に、２個の発光ダイオードＬ１，Ｌ２が、それぞれの頭部をケースＣの外部に露出させて配置されている。正面パネルの上部の内部にはブザーＢＺが設置され、その上方には、光センサＰＳが設置されている。この光センサＰＳは、硫化カドミュウムのフォト・ダイオードから成り、その受光面をケースＣの外部に露出させている。ケースＣの正面パネルの中程には、セット／リセット用スイッチの動作と、状態を表示するための状態表示用発光ダイオードＬ１，Ｌ２が設置されている。
【００１６】
〔待機状態へのセット〕                                                          この警報発生器の利用者は、それぞれの頭部に赤と緑の着色が施された２個のセット／リセット用押しボタンスイッチＳＷ１，ＳＷ２（以下、それぞれ「赤ボタン」、「緑ボタン」と言う）を、任意の組合せで３回操作することにより、警報発生回路ＡＬを待機状態へのセット可能状態に移行させる。この赤ボタンと緑ボタンを、順不同で３回押し下げる方法としては、
「赤」「赤」「赤」、「赤」「赤」「緑」、「赤」「緑」「赤」、「赤」「緑」「緑」、「緑」「緑」「緑」、「緑」「緑」「赤」、「緑」「赤」「緑」、「緑」「赤」「赤」    の８通りが存在する。
【００１７】
利用者は、これら８通りのうちから任意の一つを選択して操作する。
【００１８】
利用者が、赤ボタンと緑ボタンを押し下げるたびに、それぞれの上部に設置されている状態表示用発光ダイオードＬ１とＬ２が、一瞬間だけ点灯し、赤ボタンや緑ボタンの押し下げ動作が、確実に行われたことを利用者に知らせる。警報発生回路ＡＬは、赤ボタンと緑ボタンの操作の順序を内蔵のデータメモリに保存し、待機状態へのセット可能状態に移行し、状態表示用発光ダイオードＬ１を赤く点灯させる。この赤の点灯により、利用者は、待機状態へのセットが可能な状態（セット可能状態）に移行したことを確認する。
【００１９】
〔セット可能状態の解除〕
利用者が、警報発生回路ＡＬを待機状態へのセット可能状態にした移行させた後、予定を変更して、このセット可能状態を解除したくなる場合もある。その場合、警報発生回路ＡＬを待機状態へのセット可能状態に移行させるために行ったと同じ順序で、押しボタンスイッチＳＷ１、ＳＷ２を３回押し下げる。この押し下げ操作が、待機状態へのセット可能状態に移行させる際に行われたものと一致すれば、警報発生回路ＡＬは、待機状態へのセット可能状態からリセット状態に移行する。すなわち、マイクロプロセッサＰは、電池ＢＴとの接続を一端解除した後、再度接続することにより、自動的なリセットを実行する。これによって、警報発生回路ＡＬのマイクロプロセッサＰは、待機状態へのセット可能状態から初期状態に戻る。  
【００２０】
利用者は、このセット可能状態に移行した警報発生器を、スーツ・ケースなどの携帯品の内部の衣類などの上に乗せて、スーツ・ケースの蓋を閉じる。このような利用者の行為によって、この警報発生器は、暗所に放置された状態となる。光センサＰＳは、入射する光量が所定値以下に低下したことをもって、この警報発生器が暗所に放置されたことを検出すると、警報発生回路ＡＬにその旨を通知する信号を送る。警報発生回路ＡＬは、この信号を検出すると、警報発生のための待機状態に移行する。この待機状態では、状態表示用発光ダイオードＬ１の点灯状態が解除される。電池ＢＴの消耗を、可能な限り防ぐためである。
【００２１】
〔警報の発生〕
利用者が、警報発生器を待機状態へのリセト可能状態にして収容したスーツ・ケースの蓋を開けると、暗所への放置によって警報発生の待機状態にセットされていた、警報発生器の光センサＰＳに外部の光が入射する。この入射光量が所定値になると、光センサＰＳが導通状態になり、電流が流れる。警報発生回路ＡＬは、この光センサＰＳを流れる電流から光センサの導通を検出すると、３秒後に待機状態から警報駆動状態へと移行する。すなわち、マイクロプロセッサＰは、ブザーＢＬを駆動して、大音量の断続音から成る警報を発生させる。
【００２２】
〔警報の解除〕
この警報が鳴り出してから５秒以内に、利用者が、警報発生回路ＡＬを待機状態へのセット可能状態に移行させる際に行ったと同じ順序で、押しボタンスイッチＳＷ１、ＳＷ２を３回押し下げる。この押し下げ操作が、待機状態へのセット可能状態に移行させる際に行われたものと一致すれば、警報発生回路ＡＬは、駆動状態からリセット状態に移行し、ブザーＢＺからの警報の発生が停止される。すなわち、マイクロプロセッサＰは、電池ＢＴとの接続を一端解除した後、再度接続することにより、自動リセットを実行する。これによって、警報発生回路ＡＬのマイクロプロセッサＰは、待機状態にセットされる前の初期状態に戻る。  
【００２３】
利用者が、警報発生回路ＡＬを待機状態にセットする際に行った押しボタンスイッチＳＷ１，ＳＷ２の操作方法を忘れてしまう場合も想定される。そんな場合、警報を解除することができなくなるという不都合が生じる。そこで、そのような事態に対処するために、別の解除方法が設定される。その解除方法では、押しボタンスイッチＳＷ１，ＳＷ２の両方を５秒間にわたって押し続ける方法である。
【００２４】
窃盗犯がこのスーツ・ケースを、無断で持ち去ってその蓋を開けると、待機状態にセットされている警報発生回路ＡＬが駆動され、警報音が発生される。しかし、窃盗犯は警報を解除するためのスイッチ操作を知らないので、警報を解除できない。そして盗んだスーツ・ケースをその場に放置して、ほうほうの体で逃げ去る。このように、盗まれそうになったスーツ・ケースが、持主の手元に戻ることになる。
【００２５】
図３は、図１に示した本発明の一実施例の警報発生器の更に詳細な回路図である。図４，図５は、それぞれ警報発生回路ＡＬが実行する待機状態へのセット処理と、警報発生／解除処理の概要を示すフローチャートである。
【００２６】
以上、防犯効果を高めるため、警報発生回路ＡＬの駆動状態への移行によって警報音が発せられてから５秒以内に押しボタンスイッチＳＷ１，ＳＷ２の操作を行わないと、警報の発生を解除できないという構成を例示した。しかしながら、５秒に限らず任意の時間を設定できる。また、そのような、押しボタンスイッチの警報を解除する際のスイッチ操作のために、制限時間を設定しない構成とすることもできる。
【００２７】
また、警報解除のために、二つの押しボタンスイッチＳＷ１，ＳＷ２を同時に所定の時間にわたって押しつづけるという第２の警報解除操作を設定した。しかしながら、警報音の発生の持続時間に上限値を設定することなどにより、そのような第２の警報解除操作を設定しない構成とすることもできる。
【００２８】
さらに、セット／リセット用スイッチとして、押しボタンスイッチを使用する構成を例示した。しかしながら、スナップ・スイッチや、キー・スイッチなど、他の適宜な形式のスイッチを使用することができる。
【００２９】
また、セット／リセット用スイッチを、２個設置する構成を例示した。しかしながら、セット／リセット用のスイッチを、３個以上の適宜な個数設置する構成としてもよい。
【００３０】
あるいは、セット／リセット用スイッチを１個だけ設置し、このセット／リセット用スイッチを適宜な回数操作することで警報発生回路をセットの準備状態に移行させ、このスイッチが同一回数操作することで警報発生回路の警報駆動状態や待機状態へのリセット可能状態を解除してリセット状態に移行させる構成とすることできる。
【００３１】
ただし、このセット／リセット用スイッチを１個とする構成では、窃盗犯が警報音の停止の有無を確認しながら、スイッチの操作回数をゆっくりと増やして行くことで、警報を解除することができるという問題が生じる。この不正解除操作を防止するために、駆動状態をリセットする際のセット／リセット用スイッチの操作方法に関し、所定時間内にセット時と同一の回数だけ操作した後、所定時間以上にわたって次の操作が行われない場合に限って、駆動状態を解除する構成とすればよい。
【００３２】
また、待機状態へのセットのために、セット／リセット用スイッチを３回操作する構成を例示した。しかしながら、このスイッチの操作回数を４回以上の適宜な回数とすることもできる。
【００３３】
さらに、本発明の警報発生器をスーツ・ケースの内部という暗所に放置する利用方法を説明した。しかしながら、この暗所は、金庫の内部や机の引出しなどであってもよい。        
【００３４】
また、本発明の警報発生器をスーツ・ケースなどの携帯用品の内部に放置する構成を例示した。しかしながら，これを消灯によって暗所に保たれる室内の壁面などに設置することもできる。進入者が室内の照明器具を点灯したり、懐中電灯で照らした時に、警報音の発生が開始される。
【図面の簡単な説明】
【００３５】
【図１】本発明の一実施例の警報発生器の構成を示す回路図である。
【図２】上記実施例の警報発生器の構成を示す正面図である。
【図３】上記実施例の警報発生器の更に詳細な構成を示す回路図である。
【図４】上記実施例の警報発生器の警報発生回路が実行する待機状態へのセット処理の概要を示すフローチャートである。
【図５】上記実施例の警報発生器の警報発生回路が実行する警報発生／解除処理の概要を示すフローチャートである。
【符号の説明】
【００３６】
AL        警報発生回路
P         マイクロプロセッサ
SW1,SW2   押しボタンスイッチ
BZ        ブザー
PS        光センサ
L1,L2     状態表示用発光ダイオード(LED) 
BT        電池
C         ケース
【図１】
2008225597.tif 000003
【図２】
2008225597.tif 000004
【図３】
2008225597.tif 000005
【図４】
2008225597.tif 000006
【図５】
2008225597.tif 000007